(57)【特許請求の範囲】
【請求項１】
給水流路より供給される湯水を吐水部から吐出する吐水設備の構造において、
前記給水流路にて前記湯水を分流する分流部と、
分流部にて分流された一方の湯水を電解して電解水素水と成し、同電解水素水を前記吐水部へ導く電解流路と、
分流部にて分流された他方の湯水を電解せずに非電解水の状態で前記吐水部へ導く通水流路と、を備え、
前記吐水部には、
前記電解流路の下流にて電解水素水を吐出する電解水素水吐出領域と、
前記通水流路の下流にて非電解水を吐出する非電解水吐出領域と、がそれぞれ別個に形成されているとともに、
前記電解水素水吐出領域に穿設された吐出孔と、前記非電解水吐出領域に穿設された吐出孔は、相互に離隔する方向へ吐出する角度で穿設されていることを特徴とする吐水設備構造。
【請求項２】
給水流路より供給される湯水を吐水部から吐出する吐水設備の構造において、
前記給水流路にて前記湯水を分流する分流部と、
分流部にて分流された一方の湯水を電解して電解水素水と成し、同電解水素水を前記吐水部へ導く電解流路と、
分流部にて分流された他方の湯水を電解せずに非電解水の状態で前記吐水部へ導く通水流路と、を備え、
前記吐水部には、
前記電解流路の下流にて電解水素水を吐出する電解水素水吐出領域と、
前記通水流路の下流にて非電解水を吐出する非電解水吐出領域と、がそれぞれ別個に形成されているとともに、
前記電解流路は、アルカリ性の電解水素水を生成する陰極が配置された陰極流路と、酸性水を生成する陽極が配置された陽極流路とを備え、両流路は相互の流通を規制する区画壁にて仕切られており、
前記電解水素水吐出領域には、アルカリ電解水素水を吐出するアルカリ電解水素水吐出領域と、酸性水を吐出する酸性水吐出領域とが、それぞれ別個に形成されていることを特徴とする請求項１に記載の吐水設備構造。
【請求項３】
前記通水流路にマイクロバブル発生部を備えることを特徴とする請求項１または請求項２に記載の吐水設備構造。
【請求項４】
前記電解流路にマイクロバブル発生部を備えることを特徴とする請求項１〜３いずれか１項に記載の吐水設備構造。
【請求項５】
請求項１〜４いずれか１項に記載の吐水設備構造を備えたシャワーヘッド。
【請求項６】
請求項１〜４いずれか１項に記載の吐水設備構造を備えた蛇口水道設備。
【請求項７】
請求項１〜４いずれか１項に記載の吐水設備構造を備えた打たせ湯設備。
【発明の詳細な説明】
【技術分野】
【０００１】
本発明は、吐水設備構造及び同吐水設備構造を備えたシャワーヘッド、蛇口水道設備、打たせ湯設備に関する。
【背景技術】
【０００２】
従来、水道や給湯機等に接続され、湯水を吐水可能に構成した吐水設備が存在している。
【０００３】
このような吐水設備の一例としては、例えば体を洗浄したり温める手段であり、多数の細孔から湯水を吐出させるシャワーが広く利用されている。
【０００４】
シャワーは、吐出される無数の水滴を全身で浴びることで、身体表面に適度な刺激が与えられ、リフレッシュは勿論のこと、美容や安らぎの空間としても利用されている。
【０００５】
特に昨今では、使用者の手肌などに有用な成分を含有させた機能水を吐出可能に構成したシャワーも提供されており、使用者がシャワータイムをより楽しむことができるよう工夫されている。
【０００６】
このような機能水の一例として、例えば、水を電気分解することで得られる酸性水やアルカリ水、またこれらが混じり合った水等の電解水が挙げられる。これら電解水は、それぞれ皮膚表面に対して収斂効果や制菌効果を発揮したり、皮膚表面の老廃物を効率的に除去できることが知られている。
【０００７】
そこで、電解水による効果を体表面においても享受すべく、湯水に通電して電解可能に構成したシャワーヘッドが提供されている（例えば、特許文献１参照。）。
【０００８】
このシャワーヘッドによれば、電解水を全身で浴びることができ、皮膚の引き締めを行ったり、汚れを効率的に除去できるとしている。
【先行技術文献】
【特許文献】
【０００９】
【特許文献１】特開２００１−１６９９５２号公報
【発明の概要】
【発明が解決しようとする課題】
【００１０】
ところで、水に水素ガスを溶存させた水素水は、活性酸素消去能を有するとして、近年注目を浴びている。
【００１１】
この水素水は、水を電気分解して陰極側からの水素を水に含ませることで生成することも可能であり、前述のアルカリ水や、同アルカリ水と酸性水との混合水は、電解により生成した水素水としての側面も持ち合わせた機能水であると言える。なお、以下の説明において、水を電解することで水素を含ませた水を電解水素水と称し、中でも、水素ガスを含有する陰極側で生成されたアルカリ水をアルカリ電解水素水と称する。
【００１２】
しかしながら、上記従来のシャワー装置は、電解水素水を吐水するシャワー装置としての観点から言えば、電解水素水を所望する部位へ重点的に、且つ、高濃度で浴びせることが困難であった。
【００１３】
また、これはシャワー装置に限られるものではなく、電解水素水を吐水可能に構成した吐水設備全般の問題点でもある。
【００１４】
本発明は、斯かる事情に鑑みてなされたものであって、電解水素水を所望する部位へ重点的に、且つ、高濃度で吐出することのできる吐水設備構造を提供する。また、本発明では、同吐水設備構造を備えたシャワーヘッドや、同吐水設備構造を備えた蛇口水道設備、同吐水設備構造を備えた打たせ湯設備についても提供する。
【課題を解決するための手段】
【００１５】
上記従来の課題を解決するために、本発明に係る吐水設備構造では、（１）給水流路より供給される湯水を吐水部から吐出する吐水設備の構造において、前記給水流路にて前記湯水を分流する分流部と、分流部にて分流された一方の湯水を電解して電解水素水と成し、同電解水素水を前記吐水部へ導く電解流路と、分流部にて分流された他方の湯水を電解せずに非電解水の状態で前記吐水部へ導く通水流路と、を備え、前記吐水部には、前記電解流路の下流にて電解水素水を吐出する電解水素水吐出領域と、前記通水流路の下流にて非電解水を吐出する非電解水吐出領域と、がそれぞれ別個に形成されていることとした。
【００１６】
また、本発明に係る吐水設備構造では、以下の点にも特徴を有する。
（２）湯水の流通により起電する起電部を前記給水流路に備え、同起電部にて生成した電力により前記電解流路にて湯水の電解を行うこと。
（３）前記電解水素水吐出領域と前記非電解水吐出領域との境界には、吐出された前記電解水素水と前記非電解水とが飛程において混在するのを防止する区画手段が設けられていること。
（４）前記電解水素水吐出領域に穿設された吐出孔と、前記非電解水吐出領域に穿設された吐出孔は、相互に離隔する方向へ吐出する角度で穿設されていること。
（５）前記電解流路は、アルカリ性の電解水素水を生成する陰極が配置された陰極流路と、酸性水を生成する陽極が配置された陽極流路とを備え、両流路は相互の流通を規制する区画壁にて仕切られており、前記電解水素水吐出領域には、アルカリ電解水素水を吐出するアルカリ電解水素水吐出領域と、酸性水を吐出する酸性水吐出領域とが、それぞれ別個に形成されていること。
（６）前記通水流路にマイクロバブル発生部を備えること。
（７）前記電解流路にマイクロバブル発生部を備えること。
【００１７】
また、本発明に係るシャワーヘッドでは、（８）上記（１）〜（７）いずれかの吐水設備構造を備えることとした。
【００１８】
また、本発明に係る蛇口水道設備では、（９）上記（１）〜（７）いずれかの吐水設備構造を備えることとした。
【００１９】
また、本発明に係る打たせ湯設備では、（１０）上記（１）〜（７）いずれかの吐水設備構造を備えることとした。
【発明の効果】
【００２０】
本発明に係る吐水設備構造によれば、給水流路より供給される湯水を吐水部から吐出する吐水設備の構造において、前記給水流路にて前記湯水を分流する分流部と、分流部にて分流された一方の湯水を電解して電解水素水と成し、同電解水素水を前記吐水部へ導く電解流路と、分流部にて分流された他方の湯水を電解せずに非電解水の状態で前記吐水部へ導く通水流路と、を備え、前記吐水部には、前記電解流路の下流にて電解水素水を吐出する電解水素水吐出領域と、前記通水流路の下流にて非電解水を吐出する非電解水吐出領域と、がそれぞれ別個に形成されていることとしたため、電解水素水を所望する部位へ重点的に、且つ、高濃度で吐出することのできる吐水設備構造を提供することができる。
【００２１】
また、湯水の流通により起電する起電部を前記給水流路に備え、同起電部にて生成した電力により前記電解流路にて湯水の電解を行うこととすれば、分流前の大流量の湯水で発電しつつ、分流後の少ない湯水をこの十分な電力により電解することができ、電解水素水中に含まれる水素の高濃度化をより堅実なものとすることができる。
【００２２】
また、前記電解水素水吐出領域と前記非電解水吐出領域との境界には、吐出された前記電解水素水と前記非電解水とが飛程において混在するのを防止する区画手段が設けられていることとすれば、非電解水により電解水素水が希釈されてしまうことを防止でき、電解水素水を所望する部位へ高濃度で吐出することができる。
【００２３】
また、前記電解水素水吐出領域に穿設された吐出孔と、前記非電解水吐出領域に穿設された吐出孔は、相互に離隔する方向へ吐出する角度で穿設されていることとすれば、非電解水により電解水素水が希釈されてしまうことをより堅実に防止することができる。
【００２４】
また、前記電解流路は、アルカリ性の電解水素水を生成する陰極が配置された陰極流路と、酸性水を生成する陽極が配置された陽極流路とを備え、両流路は相互の流通を規制する区画壁にて仕切られており、前記電解水素水吐出領域には、アルカリ電解水素水を吐出するアルカリ電解水素水吐出領域と、酸性水を吐出する酸性水吐出領域とが、それぞれ別個に形成されていることとすれば、更に高濃度の水素を含有し、しかも皮膚表面の老廃物除去効果に優れたアルカリ電解水素水を酸性水や非電解水により希釈されてしまうことなく吐出させることができる。
【００２５】
また、前記通水流路にマイクロバブル発生部を備えることとすれば、湯水吐出領域より吐出される湯水についてもマイクロバブルによる機能性を付与することができ、洗浄効果や美容効果をより高めることができる。
【００２６】
また、前記電解流路にマイクロバブル発生部を備えることとすれば、電解水素水にマイクロバブルによる機能性を付与することができ、洗浄効果や美容効果をより高めることができる。特に電解流路の下流側にマイクロバブル発生手段を備えることとすれば、水素の溶解をより高効率で行わせることができる。
【００２７】
また、上述の吐水設備構造を備えたシャワーヘッドとすれば、水素水を所望する部位へ重点的に、且つ、高濃度で浴びせることのできるシャワーヘッドを提供することができる。
【００２８】
また、上述の吐水設備構造を備えた蛇口水道設備とすれば、水素水を所望する部位へ重点的に、且つ、高濃度で浴びせることのできる蛇口水道設備を提供することができる。
【００２９】
また、上述の吐水設備構造を備えた打たせ湯設備とすれば、水素水を所望する部位へ重点的に、且つ、高濃度で浴びせることのできる打たせ湯設備を提供することができる。
【図面の簡単な説明】
【００３０】
【図１】本実施形態に係るシャワーヘッドの使用状態を示す説明図である。
【図２】第１の実施形態に係る吐水設備構造を備えたシャワーヘッドの構成を示した説明図である。
【図３】第２の実施形態に係る吐水設備構造を備えたシャワーヘッドの構成を示した説明図である。
【図４】第３の実施形態に係る吐水設備構造を備えたシャワーヘッドの構成を示した説明図である。
【図５】第４の実施形態に係る吐水設備構造を備えたシャワーヘッドの構成を示した説明図である。
【図６】第５の実施形態に係る吐水設備構造を備えたシャワーヘッドの構成を示した説明図である。
【図７】第６の実施形態に係る吐水設備構造を備えたシャワー設備の構成を示した説明図である。
【図８】第７の実施形態に係る吐水設備構造を備えた打たせ湯設備の構成を示した説明図である。
【図９】第８の実施形態に係る吐水設備構造を備えた蛇口水道設備の構成を示した説明図である。
【図１０】第９の実施形態に係る吐水設備構造を備えた蛇口水道設備の構成を示した説明図である。
【発明を実施するための形態】
【００３１】
本発明は、給水流路より供給される湯水を吐水部から吐出する吐水設備の構造において、前記給水流路にて前記湯水を分流する分流部と、分流部にて分流された一方の湯水を電解して電解水素水と成し、同電解水素水を前記吐水部へ導く電解流路と、分流部にて分流された他方の湯水を電解せずに非電解水の状態で前記吐水部へ導く通水流路と、を備え、前記吐水部には、前記電解流路の下流にて電解水素水を吐出する電解水素水吐出領域と、前記通水流路の下流にて非電解水を吐出する非電解水吐出領域と、がそれぞれ別個に形成されていることを特徴とする吐水設備構造を提供するものである。
【００３２】
前述したように、吐水設備の一つである従来のシャワー装置にあっては、使用者は電解水素水を浴びることは可能であるものの、極めて水素濃度の低い電解水素水でしか、水素の活性酸素消去効果を享受することはできず、また、使用者が所望する被施療部位に対してピンポイントで浴びせることは困難であった。
【００３３】
そこで本発明では、給水流路より供給された湯水を分流してその一部に対して電解を施し、電解により生成した電解水素水を一般の湯水、すなわち非電解水とは別個の吐出領域より吐出させることとしている。
【００３４】
従って、図１に示すように、使用者Ｐは、非電解水１１とは別個に吐出される電解水素水１０を、非電解水１１により希釈されることなく被施療部位（図１においては、すね１２やふくらはぎ等）に対し、高濃度かつピンポイントで浴びせることができ、高濃度水素による活性酸素消去効果を享受して手肌や美容上気になる部位の改善を行うことができる。
【００３５】
以下、本実施形態に係る吐水設備構造及び同吐水設備構造を備えたシャワーヘッド、蛇口水道設備、打たせ湯設備について、図面を参照しながら具体的に説明する。
【００３６】
図２は、第１の実施形態に係る吐水設備構造を備えたシャワーヘッドＨ１の構成を示した説明図であって、図２（ａ）はシャワーヘッドＨ１の長手方向断面を示しており、図２（ｂ）はシャワーヘッドＨ１に備えられた散水部２２の底面部３４を示している。
【００３７】
シャワーヘッドＨ１は、図２（ａ）に示すように、使用者Ｐが把持する把持部２１と、同把持部２１の先端側に配置された散水部２２とで構成している。
【００３８】
把持部２１は、中空の略筒状としてその内部に流路２３を形成している。また、把持部２１の基端部外周には、シャワーヘッドＨ１に湯水を供給するための給水ホース１３（図１参照）を螺合可能とする雄ネジ部２４が形成されおり、給水ホース１３より供給された湯水を流路２３に通水可能としている。
【００３９】
流路２３には、その中途部から散水部２２にかけて、流路２３に供給された湯水を区画分流する分流壁２５が配設されており、その基端側端部近傍を分流部２６としている。
【００４０】
分流部２６よりも上流側の流路２３は、分流部２６よりも下流側の流路２３であって並列して設けられた複数の流路より構成される分岐流路２７に湯水を供給するための給水流路２８としている。
【００４１】
特に本実施形態では、分岐流路２７にて電解水素水を生成する電力を得るための給電機構２９が把持部２１に備えられており、給水流路２８には、同給水流路２８を流通する湯水により回転力を得るためのプロペラ２９ａが配設されている。
【００４２】
具体的には、給水流路２８の通水により回転するプロペラ２９ａの回転力は、把持部２１の基端側に形成した肉厚形成部３０内の発電機２９ｂに伝達され、発電機２９ｂにて生成された電力は、制御部２９ｄを介して分岐流路２７へ供給されるよう構成している。すなわち、プロペラ２９ａと発電機２９ｂとで起電部２９ｃを構成しており、給電機構２９は、起電部２９ｃと制御部２９ｄとで構成している。
【００４３】
分岐流路２７は、分流壁２５を隔てて通水流路３１と電解流路３２とで構成している。
【００４４】
通水流路３１は、分流部２６にて分流された湯水を電解せず、非電解水１１として散水部２２へ導く流路である。
【００４５】
電解流路３２は、分流部２６にて分流された湯水を電解して電解水素水１０と成し、同電解水素水１０を散水部２２へ導く流路であり、その内周壁面には、対向状態に配設された陰極板３３ａ及び陽極板３３ｂよりなる一対の電極板３３が配設されている。
【００４６】
陰極板３３ａは、前述の給電機構２９の制御部２９ｄに配設された陰極端子に電気的に接続され、また、陽極板３３ｂは制御部２９ｄの陽極端子に電気的にに接続されており、陰極板３３ａは陽極板３３ｂに対して相対的に低電位（陽極板３３ｂは陰極板３３ａに対して相対的に高電位）に電圧が印加されるよう構成し、電極間で電解流路３２を流通する湯水を介して通電し、電解を行って、陰極板３３ａの表面にて発生する水素ガスを溶解させて電解水素水１０が生成されるようにしている。
【００４７】
散水部２２は、中空で略円柱状に形成された吐水部として機能する部位であり、図２（ｂ）に示すように、その底面部３４を吐水面としている。
【００４８】
また、散水部２２の内部には、仕切壁３５を隔てて電解水素水流入空間３６と非電解水流入空間３７とが形成されている。
【００４９】
電解水素水流入空間３６は、電解流路３２にて生成された電解水素水１０が流入する空間であり、電解流路３２と連通させて形成している。
【００５０】
また、電解水素水流入空間３６に対応する底面部３４は、電解水素水流入空間３６内に流入した電解水素水１０が吐出される電解水素水吐出孔３８を複数穿設して電解水素水吐出領域３９としている。
【００５１】
非電解水流入空間３７は、通水流路３１を流通する非電解水１１が流入する空間であり、通水流路３１と連通させて形成している。
【００５２】
また、非電解水流入空間３７に対応する底面部３４は、非電解水流入空間３７内に流入した非電解水１１が吐出される非電解水吐出孔４０を複数穿設して非電解水吐出領域４１としている。
【００５３】
ここで、図２（ａ）に示すように、底面部３４に穿設された電解水素水吐出孔３８及び非電解水吐出孔４０は、相互に離隔する方向へ吐出する角度で穿設されている。
【００５４】
また、図２（ｂ）に示すように、電解水素水吐出領域３９と非電解水吐出領域４１との境界には、吐水孔が穿設されていない区画領域４２が区画手段として形成されており、電解水素水吐出領域３９より吐出された電解水素水１０と、非電解水吐出領域４１より吐出された非電解水１１とが飛程において混在するのを防止している。
【００５５】
そして、このような構成を備えたシャワーヘッドＨ１によれば、雄ネジ部２４に接続された給水ホース１３より湯水が供給されると、湯水は給水流路２８内に流入し、給水流路２８内に配設されたプロペラ２９ａを回転させる。
【００５６】
プロペラ２９ａの回転力により発電機２９ｂでは電力が生成され、制御部２９ｄを介して陰極板３３ａ及び陽極板３３ｂに所定の電圧が印加される。
【００５７】
次いで、給水流路２８の湯水は分流部２６に至り、通水流路３１へ流入する湯水と電解流路３２へ流入する湯水とに分流される。
【００５８】
通水流路３１に流入した湯水は、電解を受けることなく非電解水１１として散水部２２の非電解水流入空間３７へ至り、底面部３４の非電解水吐出領域４１より非電解水吐出孔４０を介して吐出される。
【００５９】
一方、電解流路３２へ流入した湯水は、対向配置された電極板３３間を流れることで電解され、陰極板３３ａの表面にて生じた水素ガスが溶解して電解水素水１０となる。
【００６０】
電解流路３２にて生成された電解水素水１０は、散水部２２の電解水素水流入空間３６へ至り、底面部３４の電解水素水吐出領域３９より電解水素水吐出孔３８を介して吐出されることとなる。
【００６１】
ここで、本実施形態に係るシャワーヘッドＨ１について特筆すべき点の一つとして、給水流路２８の下流にて湯水を分流する分流部２６と、分流部２６にて分流された一方の湯水を電解して電解水素水１０と成し、同電解水素水１０を散水部２２へ導く電解流路３２と、分流部２６にて分流された他方の湯水を電解せずに非電解水１１として散水部２２へ導く通水流路３１と、を備えている点が挙げられる。
【００６２】
すなわち、シャワーヘッドＨ１では、電解流路３２へ流入する単位時間あたりの湯水の量は、給水流路２８を流通する単位時間あたりの湯水の量よりも少ない量となるように構成している。
【００６３】
従って、給水流路２８を流れる大流量の湯水により大きな電力を得つつ、電解流路３２に流入した相対的に小流量の湯水を大きな電力で強力に電解することができ、高濃度に水素ガスを溶存させた電解水素水１０を生成することができる。
【００６４】
また、分流部２６における湯水の分流割合は、電解流路３２に流入する単位時間あたりの湯水の量が、給水流路２８を流れる単位時間あたりの湯水の量よりも少なくなれば特に限定されるものではなく、適宜変更可能である。
【００６５】
例えば、図２（ａ）において示したように、分流部２６における湯水の分流割合を、電解流路３２に流入する単位時間あたりの湯水の量が、通水流路３１に流入する単位時間あたりの湯水の量に比して少なくなるように構成しても良い。
【００６６】
このような構成とすることにより、水素ガスをより濃厚に含有させた電解水素水１０を吐出させることができ、手肌の改善や美容効果の更なる向上を期待することができる。
【００６７】
また、図２（ａ）において示したように、分流壁２５で隔てつつも通水流路３１と電解流路３２とを並行して設け、通水流路３１を流れる非電解水１１と電解流路３２を流れる電解水素水１０との間で熱の授受ができるように構成しても良い。
【００６８】
特に、シャワーヘッドＨ１では、分流壁２５側に陰極板３３ａを配設しており、陰極板３３ａにおいて電解により生じた熱が分流壁２５を介して非電解水１１に伝達されるよう構成している。付言するならば、通水流路３１を流れる非電解水１１を冷却媒とする陰極板３３ａの冷却構造を備えている。
【００６９】
従って、水素ガスの水への溶解は温度が低いほど促進されるところ、上記構成によれば、陰極板３３ａの表面にて生じた水素ガスの溶解効率を向上させることができ、より高濃度の電解水素水１０を生成することができる。このことは特に、給水流路２８を流れる大量の湯水で発生させた大電流により、比較的少量の湯水を電解して電解水素水１０を生成する場合には、大電流による電解によって電解水素水１０の温度が昇温しやすいため、水素ガスの溶存量を向上させる上で極めて有用な構成であるといえる。
【００７０】
また、陰極板３３ａが金属など熱伝導性の高い材料で形成されている場合には、電解による熱で昇温した電解流路３２を流れる電解水素水１０から、通水流路３１を流れる非電解水１１との熱勾配により熱を奪う受熱板として機能させることができ、分流壁２５を介して電解水素水１０の温度を低下させることも可能である。また、分流壁２５は、熱伝達が可能な程度の厚みであれば、通常、シャワーヘッドに用いられる一般的な樹脂にて形成しても良いが、高熱伝導性の樹脂を用いるのも一案である。
【００７１】
また、本実施形態に係るシャワーヘッドＨ１についての更なる特筆すべき点として、散水部２２の底面部３４には、電解流路３２の下流にて電解水素水１０を吐出する電解水素水吐出領域３９と、通水流路３１の下流にて非電解水１１を吐出する非電解水吐出領域４１と、をそれぞれ別個に形成している点が挙げられる。
【００７２】
このような構成を備えることにより、電解水素水吐出孔３８より吐出される電解水素水１０と非電解水吐出領域４１より吐出される非電解水１１とが混合されて電解水素水１０が希釈されてしまうことを防止でき、高濃度の水素ガスを含有した電解水素水１０による効果を堅実に享受することが可能となる。
【００７３】
しかも、電解水素水吐出領域３９と非電解水吐出領域４１との２つの領域は、それぞれ別個に形成しているため、電解水素水吐出領域３９より吐出された電解水素水１０を、使用者が所望する被施療部位に対してピンポイントで浴びせることができ、より良い皮膚改善効果や美容効果を生起させることができる。
【００７４】
また、底面部３４の電解水素水吐出孔３８と非電解水吐出領域４１との境界には区画領域４２を設けているため、被施療部位に対してピンポイントで電解水素水１０を浴びせやすく、また電解水素水１０と非電解水１１とが混ざり合って希釈化されることをより堅実に防止することができる。
【００７５】
更には、電解水素水吐出孔３８と非電解水吐出孔４０とを、相互に離隔する方向へ吐出する角度で穿設することで、電解水素水１０と非電解水１１とが飛程において混在することを防止して、電解水素水１０の希釈化を更に防止することができる。なお、上述したシャワーヘッドＨ１の基本構成や付加的構成は、後述する他の実施形態においても採用可能であり、これらの効果を享受し得るのは勿論である。
【００７６】
次に、第２の実施形態に係る吐水設備構造を備えたシャワーヘッドＨ１ａについて、図３を参照しながら説明する。図３（ａ）はシャワーヘッドＨ１ａの長手方向断面を示しており、図３（ｂ）はシャワーヘッドＨ１ａに備えられた吐出面２０を示している。なお、以下において、前述のシャワーヘッドＨ１と同様の構成については、同じ符号を付して説明を省略する。
【００７７】
シャワーヘッドＨ１ａは、シャワーヘッドＨ１と略同様の構成を備えており、電解水素水１０と非電解水１１とを吐出可能に構成したものであるが、通水流路３１の中途部にバルブ体１４を介設した点や、電解流路３２の下流側流路終端部に定流量弁１５を配設した点において構成を異にしている。
【００７８】
図３（ａ）に示す通水流路３１の中途に介設されたバルブ体１４は、使用者が指先などでボタン１４ａを押下することにより、通水流路３１の通水・止水を操作可能とするものである。
【００７９】
具体的には、バルブ体１４の内部には、通水孔１４ｃが穿設されたボール体１４ｂが収容されており、ボタン１４ａが押下される毎に略９０度回転し、ボールバルブの如く通水・止水が行われる。すなわち、バルブ体１４は、通水流路流通制御手段として機能する。
【００８０】
一方、電解流路３２の終端部に配設された定流量弁１５は、バルブ体１４が閉状態の時に、同バルブ体１４が開状態の時と略同量の電解水素水の流通に規制する弁体である。
【００８１】
そして、このような構成を備えたシャワーヘッドＨ１ａによれば、給水ホース１３より供給され、給水流路２８を経て分流部２６に至った湯水は、電解流路３２と通水流路３１とに分流される。
【００８２】
通水流路３１へ流入した湯水は、バルブ体１４が開状態であれば、電解を受けることなく非電解水１１として散水部２２の非電解水流入空間３７へ至り、底面部３４の非電解水吐出領域４１より非電解水吐出孔４０を介して吐出される。
【００８３】
一方、電解流路３２へ流入した湯水は、対向配置された電極板３３間を流れることで電解され、陰極板３３ａの表面にて生じた水素ガスが溶解して電解水素水１０となり、定流量弁１５を介して散水部２２の電解水素水流入空間３６へ至り、底面部３４の電解水素水吐出領域３９、すなわち、底面部３４の外周縁近傍領域より電解水素水吐出孔３８を介して吐出されることとなる。
【００８４】
ここで、使用者によりバルブ体１４のボタン１４ａが押下され、バルブ体１４が閉状態となると、分流部２６における通水流路３１への湯水の流入はなくなり、非電解水吐出領域４１からの非電解水１１の吐出は停止する。
【００８５】
従って、吐出面２０からは電解水素水吐出領域３９からの電解水素水１０のみが吐出されることとなり、吐出後に非電解水１１と混じり合って希釈されてしまうことを堅実に防止することができる。
【００８６】
このとき電解流路３２では、通水流路３１が止水されたことに伴い、本来であれば単位時間あたりの流量が増加するところであるが、定流量弁１５によりその流量は通水流路３１が開状態のときと略同流量に保たれる。
【００８７】
従って、電解流路３２へ流入した湯水は電極板３３により十分に電解を受ける時間を確保することができ、電解水素水吐出領域３９より吐出される電解水素水の溶存水素濃度が極端に低下してしまうことを防止することができる。
【００８８】
また、電解流路３２では、バルブ体１４が開状態の時と比較して、高い水圧が付与されることとなる。従って、水素の溶解効率を更に向上させることができる。
【００８９】
なお、本実施形態では、通水流路流通制御手段として手動式のバルブ体１４を用いて通水流路３１の通水・止水を操作するようにしたがこれに限定されるものではなく、例えば電磁バルブ等を用いて電気的に通水流路３１の通水・止水を操作可能としても良い。
【００９０】
次に、第３の実施形態に係る吐水設備構造を備えたシャワーヘッドＨ２について、図４を参照しながら説明する。図４（ａ）はシャワーヘッドＨ２の長手方向断面を示しており、図４（ｂ）はシャワーヘッドＨ２に備えられた吐出面２０を示している。
【００９１】
シャワーヘッドＨ２は、シャワーヘッドＨ１と略同様の構成を備えており、電解水素水１０と非電解水１１とを吐出可能に構成したものであるが、分流壁を円筒状として分岐流路２７を二重管状に構成した点や、通水流路３１にマイクロバブル発生部を設けて非電解水をマイクロバブル水として吐出可能に構成した点、底面部３４に形成した各吐出領域の領域形状において構成を異にしている。
【００９２】
図４（ａ）に示すように、シャワーヘッドＨ２における流路２３には、その中途部から散水部２２にかけて、略円筒状の筒状分流壁５０が二重管状に配設されており、その基端側端部近傍を分流部２６としている。
【００９３】
また、筒状分流壁５０の内側を通水流路３１とする一方、筒状分流壁５０の外周面と把持部２１の内周面との間に形成された横断面においてドーナツ状の間隙を電解流路３２としている。
【００９４】
筒状分流壁５０の中途部には、内方へ肉厚状に形成してなるベンチュリ構造部５１が備えられており、通水流路３１は一部狭窄した形状としている。
【００９５】
また、筒状分流壁５０には、把持部２１の表面にかけて細管状の吸気管５２が形成されており、通水流路３１へ流入した湯水に対して空気を導入可能としている。この吸気管５２は、ベンチュリ構造部５１と共に、非電解水１１としてのマイクロバブル水を生成するマイクロバブル発生部５３として機能する。
【００９６】
電解流路３２は、分流部２６にて分流された湯水を電解して電解水素水１０と成し、同電解水素水１０を散水部２２へ導く流路であり、筒状分流壁５０の外周面に配設された陰極板３３ａと、把持部２１の内周面に配設された陽極板３３ｂとよりなる一対の電極板３３が配設されている。
【００９７】
これら陰極板３３ａ及び陽極板３３ｂは、前述のシャワーヘッドＨ１と同様、給電機構２９の制御部２９ｄに配設された陰極端子や陰極端子に電気的に接続されており、陰極板３３ａは陽極板３３ｂに対して相対的に低電位（陽極板３３ｂは陰極板３３ａに対して相対的に高電位）に電圧が印加されるよう構成し、電極間で電解流路３２に流入した湯水を介して通電し、電解を行って、陰極板３３ａの表面にて発生する水素ガスを溶解させて電解水素水１０が生成されるようにしている。
【００９８】
散水部２２は、その内部を仕切壁３５で隔て、電解流路３２と連通する電解水素水流入空間３６と、通水流路３１と連通するマイクロバブル水流入空間５４とが形成されている。
【００９９】
また、電解水素水流入空間３６に対応する底面部３４は、電解水素水流入空間３６内に流入した電解水素水１０が吐出される電解水素水吐出孔３８を複数穿設して電解水素水吐出領域３９とする一方、マイクロバブル水流入空間５４に対応する底面部３４には、マイクロバブル水流入空間５４内に流入したマイクロバブル水が吐出されるマイクロバブル水吐出孔５５を複数穿設して、非電解水吐出領域としてのマイクロバブル水吐出領域５６を形成している。
【０１００】
また、図４（ｂ）に示すように、電解水素水吐出領域３９とマイクロバブル水吐出領域５６との境界には、吐水孔が穿設されていない区画領域４２が同心円状に形成されており、電解水素水吐出領域３９より吐出された電解水素水１０と、マイクロバブル水吐出領域５６より吐出されたマイクロバブル水とが飛程において混在するのを防止している。
【０１０１】
そして、このような構成を備えたシャワーヘッドＨ２によれば、給水ホース１３より供給され、給水流路２８を経て分流部２６に至った湯水は、電解流路３２と通水流路３１とに分流される。
【０１０２】
電解流路３２へ流入した湯水は、対向配置された電極板３３間を流れることで電解され、陰極板３３ａの表面にて生じた水素ガスが溶解して電解水素水１０となり、散水部２２の電解水素水流入空間３６へ至り、底面部３４の電解水素水吐出領域３９、すなわち、底面部３４の外周縁近傍領域より電解水素水吐出孔３８を介して吐出されることとなる。
【０１０３】
一方、通水流路３１に流入した湯水は、吸気管５２を介して空気を引き込んで気泡を含んだ状態となってベンチュリ構造部５１へ至ると、気泡崩壊によりマイクロバブルが発生し、マイクロバブル水となる。
【０１０４】
マイクロバブル水は、散水部２２のマイクロバブル水流入空間５４へ至り、底面部３４のマイクロバブル水吐出領域５６よりマイクロバブル水吐出孔５５を介して吐出される。
【０１０５】
このように、シャワーヘッドＨ２によっても、シャワーヘッドＨ１と同様、電解流路３２へ流入する単位時間あたりの湯水の量は、給水流路２８を流通する単位時間あたりの湯水の量よりも少ない量であり、給水流路２８を流れる大流量の湯水により大きな電力を得つつ、電解流路３２に流入した相対的に小流量の湯水を大きな電力で強力に電解することができ、高濃度に水素ガスを溶存させた電解水素水１０を生成することができる。
【０１０６】
また、通水流路３１に配設したマイクロバブル発生部５３により、マイクロバブル水吐出領域５６より吐出される非電解水１１についてもマイクロバブルによる機能性を付与することができ、洗浄効果や美容効果をより高めることができる。
【０１０７】
なお、このシャワーヘッドＨ２では、シャワーヘッドＨ１の如く電解水素水吐出孔３８やマイクロバブル水吐出孔５５が相互に離隔する方向へ吐出する角度で穿設されてはいないが、少なくとも使用者が所望する被施療部位までの飛程において電解水素水１０がマイクロバブル水によって希釈されることはなく、被施療部位に対して高濃度の電解水素水１０を供給する目的は達せられる。
【０１０８】
次に、第４の実施形態に係る吐水設備構造を備えたシャワーヘッドＨ２ａについて、図５を参照しながら説明する。図５（ａ）はシャワーヘッドＨ２ａの長手方向断面を示しており、図５（ｂ）はシャワーヘッドＨ２ａに備えられた吐出面２０を示している。
【０１０９】
シャワーヘッドＨ２ａは、シャワーヘッドＨ２と比較して、筒状分流壁５０により分岐流路２７を二重管状に構成した点や、マイクロバブル発生部５３を設けた点において同様の構成を備えているが、筒状分流壁５０の内部に電極板３３を配置して電解流路３２とする一方、筒状分流壁５０の外方を通水流路３１とした点や、マイクロバブル発生部５３を電解流路３２の下流終端部に配置した点で構成を異にしている。
【０１１０】
そして、このような構成を備えたシャワーヘッドＨ２ａによれば、給水ホース１３より供給され、給水流路２８を経て分流部２６に至った湯水は、通水流路３１と電解流路３２とに分流される。
【０１１１】
通水流路３１へ流入した湯水は、電解を受けることなく非電解水１１として散水部２２の非電解水流入空間３７へ至り、底面部３４の非電解水吐出領域４１より非電解水吐出孔４０を介して吐出される。
【０１１２】
一方、電解流路３２へ流入した湯水は、対向配置された電極板３３間を流れることで電解され、陰極板３３ａの表面にて生じた水素ガスが溶解して電解水素水１０となる。
【０１１３】
次いで、この電解水素水１０は、吸気管５２を介して空気を引き込んで気泡を含んだ状態となってベンチュリ構造部５１へ至ると、気泡崩壊によりマイクロバブルが発生し、電解水素水１０としてのマイクロバブル水となる。
【０１１４】
この時、陰極板３３ａから剥離したものの電解水素水１０中に溶解しきれなかった水素ガス気泡は、ベンチュリ構造部５１を通過することにより強制的に微細化されて溶解することとなり、電解水素水１０の溶存水素濃度をより高くすることができる。
【０１１５】
また、一部狭窄した形状を有しているベンチュリ構造部５１を電解流路３２の下流側端部に配置していることから、電解流路３２内の圧力、すなわち、ベンチュリ構造部５１よりも上流側の圧力が高くなるため、対向配置された電極板３３間を流れている際の水素ガスの溶解効率も高まり、高濃度の水素を含んだ電解水素水１０の生成が行われる。
【０１１６】
そして、このマイクロバブルを含有した電解水素水１０は、散水部２２の電解水素水流入空間３６へ至り、底面部３４の電解水素水吐出領域３９より電解水素水吐出孔３８を介して吐出されることとなる。
【０１１７】
従って、電解水素水１０でありながら、マイクロバブルによる機能性を有することとなり、洗浄効果や美容効果をより高めることができる。
【０１１８】
次に、第５の実施形態に係る吐水設備構造を備えたシャワーヘッドＨ３について、図６を参照しながら説明する。図６（ａ）はシャワーヘッドＨ３の長手方向断面を示しており、図６（ｂ）はシャワーヘッドＨ３に備えられた散水部２２の底面部３４を示し、図６（ｃ）は散水部２２の周面部を示している。
【０１１９】
シャワーヘッドＨ３についても、シャワーヘッドＨ１と略同様の構成を備えており、湯水を電解して吐出可能に構成したものであるが、電解流路３２を更に区画壁６０で仕切り、陰極板３３ａが配置されアルカリ電解水素水を生成する陰極流路６１と、陽極板３３ｂが配置され酸性水を生成する陽極流路６２とを構成している点や、底面部３４の他に散水部２２の周面部６８も吐水面としている点で構成を異にしている。
【０１２０】
具体的には図６（ａ）に示すように、シャワーヘッドＨ３における流路２３には、その中途部から散水部２２にかけて、流路２３に供給された湯水を区画分流する分流壁２５が配設されており、その基端側端部近傍を分流部２６としている。
【０１２１】
また、分岐流路２７は、分流壁２５を隔てて通水流路３１と電解流路３２とで構成すると共に、通水流路３１は、分流部２６にて分流された湯水を電解せずに非電解水１１として散水部２２へ導く流路としている。
【０１２２】
その一方で、電解流路３２には、同電解流路３２に流入した湯水を更に分流する区画壁６０を配設している。
【０１２３】
区画壁６０は、電解流路３２の内周壁面に対向状態で配設された陰極板３３ａ及び陽極板３３ｂよりなる一対の電極板３３のうち、陰極板３３ａが配置された陰極流路６１と陽極板３３ｂが配置された陽極流路６２とを区画しており、各電極と対応する位置には、陰極流路６１及び陽極流路６２の合流を阻止しつつ通電を許容する隔膜６３が張設されている。
【０１２４】
散水部２２は、その内部を仕切壁３５で隔て、陰極流路６１と連通するアルカリ電解水素水流入空間６４と、通水流路３１と連通する非電解水流入空間３７とが形成されており、散水部２２の内部上面側には陽極流路６２と連通する酸性水吐出流路６５が形成されている。
【０１２５】
また、アルカリ電解水素水流入空間６４に対応する底面部３４は、図６（ａ）及び図６（ｂ）に示すように、アルカリ電解水素水流入空間６４内に流入したアルカリ電解水素水が吐出されるアルカリ電解水素水吐出孔６６を複数穿設してアルカリ電解水素水吐出領域６７とする一方、非電解水流入空間３７に対応する底面部３４には、非電解水流入空間３７内に流入した非電解水１１が吐出される非電解水吐出孔４０を複数穿設して、非電解水吐出領域４１を形成している。
【０１２６】
また、酸性水吐出流路６５の伸延先となる散水部２２の周面部６８には、図６（ｃ）に示すように、酸性水吐出流路６５に流入した酸性水が吐出される酸性水吐出孔６９が複数穿設された酸性水吐出領域７０が形成されている。
【０１２７】
そして、このような構成を備えたシャワーヘッドＨ３によれば、給水ホース１３より供給され、給水流路２８を経て分流部２６に至った湯水は、通水流路３１と電解流路３２とに分流される。
【０１２８】
通水流路３１に流入した湯水は、電解を受けることなく非電解水１１として散水部２２の非電解水流入空間３７へ至り、底面部３４の非電解水吐出領域４１より非電解水吐出孔４０を介して吐出される。
【０１２９】
一方、電解流路３２へ流入した湯水は、区画壁６０により更に陰極流路６１と陽極流路６２とに分流されると共に、対向配置された電極板３３間を流れることで隔膜６３を介してそれぞれ電解され、陰極流路６１では陰極板３３ａの表面にて生じた水素ガスが溶解してアルカリ電解水素水となり、また、陽極流路６２では電解により生じた水素イオンにより酸性水が生成する。
【０１３０】
次いで、陰極流路６１にて生成したアルカリ電解水素水は、散水部２２のアルカリ電解水素水流入空間６４へ至り、底面部３４のアルカリ電解水素水吐出領域６７よりアルカリ電解水素水吐出孔６６を介して吐出されることとなる。
【０１３１】
また、陽極流路６２にて生成した酸性水は、散水部２２の酸性水吐出流路６５に至り、周面部６８の酸性水吐出領域７０より酸性水吐出孔６９を介して吐出される。
【０１３２】
このように、シャワーヘッドＨ３によっても、シャワーヘッドＨ１やシャワーヘッドＨ２と同様、電解流路３２へ流入する単位時間あたりの湯水の量は、給水流路２８を流通する単位時間あたりの湯水の量よりも少ない量であり、給水流路２８を流れる大流量の湯水により大きな電力を得つつ、電解流路３２に流入した相対的に小流量の湯水を大きな電力で強力に電解することができ、高濃度に水素ガスを溶存させた電解水素水を生成することができる。
【０１３３】
しかも、シャワーヘッドＨ３では、陰極流路６１と陽極流路６２とを別個に形成することで、陰極流路６１にて生成したアルカリ電解水素水が酸性水によって希釈されてしまうことを防止できるため、より高濃度の溶存水素ガスによる皮膚改善効果や美容効果を享受することができる。
【０１３４】
また、周面部６８に酸性水吐出領域７０を設けることで、別途酸性水についても、使用者は酸性水が適する被施療部位に対し、酸性水をピンポイントで浴びせることもできる。
【０１３５】
次に、第６の実施形態として、吐水設備構造をシャワーヘッド以外に適用した例について、図７〜図１０を参照しながら説明する。図７（ａ）は、浴室Ｒの室内部Ｒｉから室外部Ｒｏにかけての構造を示した断面図であり、図７（ｂ）はシャワーヘッド９７の散水部９４における底面部９５を示した説明図である。
【０１３６】
図７（ａ）に示すように、浴室Ｒは、室外部Ｒｏに湯水供給設備８０が配置されると共に、湯水供給設備８０より伸延する接続ホース８１が浴室壁８２を貫通し、室内部Ｒｉに配置されたシャワーヘッド９７に接続されている。
【０１３７】
本実施例は、これまで説明した実施例と比較して、シャワーヘッド９７自体には本実施形態に係るシャワー構造は備えられておらず、湯水供給設備８０や接続ホース８１、シャワーヘッド９７で構成されるシャワー設備８３に本実施形態に係るシャワー構造が備えられている点で構成を異にしている。
【０１３８】
具体的には、室外部Ｒｏに配設された湯水供給設備８０は、図示しない給湯部より伸延する給水流路８４を備えており、同給水流路８４は、分流部８５を経て通水流路８６と電解流路８７とに分岐している。
【０１３９】
通水流路８６は接続ホース８１に接続されている。一方、電解流路８７は、電解槽８８に接続されている。電解槽８８の内部は、陰極板８９ａ及び陽極板８９ｂよりなる電極板８９が対向配置されており、これら電極板８９の間隙を通水可能としている。
【０１４０】
また、電極板８９はそれぞれ制御部９０に電気的に接続されている。制御部９０は、先端に電源プラグ９１ａを備えた電源ケーブル９１を備えており、図示しない商用電源コンセントに接続することで、受電可能としている。
【０１４１】
制御部９０は、商用電源より受電すると整流し、陰極板８９ａ及び陽極板８９ｂに所定の電圧を印加する。
【０１４２】
電解槽８８の出口側からは電解水素水送出流路９２が伸延しており、同電解水素水送出流路９２の下流側端部は接続ホース８１に接続している。
【０１４３】
接続ホース８１は、通水流路８６から供給される非電解水１１と、電解水素水送出流路９２より供給される電解水素水１０とが別個に流通するよう仕切部８１ａが形成されており、その下流側先端部にはシャワーヘッド９７が螺合接続される。
【０１４４】
シャワーヘッド９７もまた接続ホース８１と同様、把持部９３から散水部９４の底面部９５に至るまで内部に仕切部９６が形成されており、底面部９５からは非電解水１１と電解水素水１０とがそれぞれ別個に吐出されるよう構成している。
【０１４５】
底面部９５は、図７（ｂ）に示すように、シャワーヘッドＨ１における底面部３４と同様、複数の電解水素水吐出孔３８が穿設された電解水素水吐出領域３９と、複数の非電解水吐出孔４０が穿設された非電解水吐出領域４１とを備え、両領域の境界には区画領域４２が形成されている。
【０１４６】
そして、このような構成を備えたシャワー設備８３によれば、給湯部（図示せず）より供給され、給水流路８４を経て分流部８５に至った湯水は、通水流路８６と電解流路８７とに分流される。
【０１４７】
通水流路８６に流入した湯水は、電解を受けることなく非電解水１１として接続ホース８１に至り、シャワーヘッド９７の把持部９３を経て、散水部９４の底面部３４の非電解水吐出領域４１より非電解水吐出孔４０を介して吐出される。
【０１４８】
電解流路８７へ流入した湯水は、対向配置された電極板８９間を流れることで電解され、陰極板８９ａの表面にて生じた水素ガスが溶解して電解水素水１０となり、電解水素水送出流路９２を経て接続ホース８１に至り、シャワーヘッド９７の把持部９３を通じて、散水部９４の底面部３４の電解水素水吐出領域３９より電解水素水吐出孔３８を介して吐出される
【０１４９】
このように、上述のシャワー設備８３によっても、本実施形態に係る吐水設備構造を備えているため、使用者が所望する部位へ水素水を重点的に、且つ、高濃度で浴びせることができる。
【０１５０】
次に、第７の実施形態として、吐水設備構造を打たせ湯設備に適用した例について、図８を参照しながら説明する。図８は、打たせ湯設備Ｕの構成を示す説明図である。
【０１５１】
打たせ湯設備Ｕは、壁体Ｗを境に施療部Ｕｉと装置部Ｕｏとを備えている。施療部Ｕｉは、流下する非電解水１１や電解水素水１０の下に被施療者が身を置き、身体の所望する部位に水流をあてて施療を行う部位であり、壁体Ｗの壁面上方には切断された竹を模した筒状吐水体１００が吐水部として設けられている。
【０１５２】
筒状吐水体１００は、小径長尺の電解水素水吐水管１００ａと、大径短尺の非電解水吐水管１００ｂとで二重管状に形成されており、各吐水管から吐出される電解水素水１０と非電解水１１とがその飛程において大凡混じり合わないように構成している。
【０１５３】
一方、装置部Ｕｏは、前述の浴室Ｒにおける室外部Ｒｏと同様、湯水供給設備８０が配置されると共に、湯水供給設備８０より伸延する電解水素水送出流路９２及び通水流路８６は、壁体Ｗより装置部Ｕｏ側に露出した筒状吐水体１００の基部に、電解水素水吐水管１００ａと非電解水吐水管１００ｂとにそれぞれ接続されている。
【０１５４】
そして、このような構成を備えた打たせ湯設備Ｕによれば、給湯部（図示せず）より供給され、給水流路８４を経て分流部８５に至った湯水は、通水流路８６と電解流路８７とに分流される。
【０１５５】
通水流路８６に流入した湯水は、電解を受けることなく非電解水１１として非電解水吐水管１００ｂを介して吐出される。
【０１５６】
一方、電解流路８７へ流入した湯水は、対向配置された電極板８９間を流れることで電解され、陰極板８９ａの表面にて生じた水素ガスが溶解して電解水素水１０となり、電解水素水送出流路９２を経て、電解水素水吐水管１００ａを介して吐出される。
【０１５７】
このように、上述の打たせ湯設備Ｕによっても、本実施形態に係る吐水設備構造を備えているため、使用者が所望する部位へ水素水を重点的に、且つ、高濃度で浴びせることができる。
【０１５８】
次に、第８の実施形態として、吐水設備構造を蛇口水道設備に適用した例について、図９を参照しながら説明する。図９は、蛇口水道設備Ｊ１の構成を示す説明図であって、図９（ａ）は蛇口水道設備Ｊ１の長手方向断面を示しており、図９（ｂ）は通水管部１０２に備えられた吐水口１３４を示している。
【０１５９】
蛇口水道設備Ｊ１は、所謂単水栓型の構造を備えており、水栓部１０１と、通水管部１０２とで構成している。
【０１６０】
水栓部１０１は、給水流路２８の通水・止水を操作する部位であり、使用者がハンドル１０３を回動させることにより、内部に配設されたコマ１０４が移動して通水・止水が行われる。
【０１６１】
通水管部１０２は、水栓部１０１を介して供給される湯水を吐出部としての吐水口１３４に導く管であり、水栓部１０１に対し袋ナット１０５を介して接続することにより揺動可能としている。
【０１６２】
また、通水管部１０２は、第１実施形態にて述べたシャワーヘッドＨ１の内部構造と略同様の構成を備えており、電解水素水１０と非電解水１１とを吐水可能としている。
【０１６３】
具体的には、供給された湯水を区画分流する分流壁２５が配設されており、その基端側端部近傍を分流部２６とし、分流部２６よりも上流側には、給電機構２９のプロペラ２９ａが配設されている。
【０１６４】
また、分流壁２５を隔てて通水流路３１と電解流路３２とを備えており、電解流路３２の内周壁面には、対向状態に配設された陰極板３３ａ及び陽極板３３ｂよりなる一対の電極板３３が配設されている。
【０１６５】
通水管部１０２の終端近傍部１２２は、中空に形成された吐水部として機能する部位であり、図９（ｂ）に示すように、吐水口１３４を備えている。
【０１６６】
また、終端近傍部１２２の内部には、仕切壁３５を隔てて電解水素水流入空間３６と非電解水流入空間３７とが形成されており、電解水素水流入空間３６に対応する吐水口１３４は、電解水素水流入空間３６内に流入した電解水素水１０が吐出される電解水素水吐出口１３８を形成して電解水素水吐出領域３９とする一方、非電解水流入空間３７に対応する吐水口１３４は、非電解水流入空間３７内に流入した非電解水１１が吐出される非電解水吐出口１４０を形成して非電解水吐出領域４１としている。
【０１６７】
また、図９（ｂ）に示すように、電解水素水吐出領域３９と非電解水吐出領域４１との境界には、区画手段としての区画領域４２が形成されており、電解水素水吐出領域３９より吐出された電解水素水１０と、非電解水吐出領域４１より吐出された非電解水１１とが飛程において混在するのを防止している。
【０１６８】
そして、このような構成を備えた蛇口水道設備Ｊ１によれば、水栓部１０１を介して通水管部１０２の給水流路２８を経て分流部２６に至った湯水は、通水流路３１と電解流路３２とに分流される。
【０１６９】
通水流路３１に流入した湯水は、電解を受けることなく非電解水１１として非電解水流入空間３７へ至り、非電解水吐出領域４１の非電解水吐出口１４０を介して吐出される。
【０１７０】
一方、電解流路３２へ流入した湯水は、対向配置された電極板３３間を流れることで電解され、陰極板３３ａの表面にて生じた水素ガスが溶解して電解水素水１０となり、電解水素水流入空間３６に流入して電解水素水吐出領域３９の電解水素水吐出口１３８を介して吐出される。
【０１７１】
このように、上述の蛇口水道設備Ｊ１によっても、本実施形態に係る吐水設備構造を備えているため、使用者が所望する部位へ水素水を重点的に、且つ、高濃度で吐出させることができる。
【０１７２】
次に、第９の実施形態として、吐水設備構造を蛇口水道設備に適用した更なる例について、図１０を参照しながら説明する。図１０は、蛇口水道設備Ｊ２の構成を示す模式説明図である。
【０１７３】
蛇口水道設備Ｊ２は、水栓部２０１と、給水部２０２とで構成している。水栓部２０１は、浴室や洗面所、台所など所定の水回り領域に配設されており、使用者により操作可能としている。
【０１７４】
水栓部２０１は、基台となるベース板２０３上に、第１ハンドル２０４、第１カラン２０５、第２ハンドル２０６、第２カラン２０７を配設して構成している。
【０１７５】
第１ハンドル２０４は、給水部２０２より供給される非電解水１１の吐水・止水を操作するためのハンドルであり、同第１ハンドル２０４を開操作することにより、第１カラン２０５から非電解水１１が吐出するよう構成している。
【０１７６】
第２ハンドル２０６は、給水部２０２より供給される電解水素水１０の吐水・止水を操作するためのハンドルであり、同第２ハンドル２０６を開操作することにより、第２カラン２０７から電解水素水１０が吐出するよう構成している。
【０１７７】
第１カラン２０５及び第２カラン２０７は、それぞれ非電解水１１及び電解水素水１０を吐出させるためのカランであり、その基部において給水部２０２と通水可能に接続されている。なお、本実施形態では、第１カラン２０５及び第２ハンドル２０６自体が吐水部として機能すると共に、電解水素水と非電解水とが飛程において混在するのを防止する区画手段としても機能する。
【０１７８】
給水部２０２は、前述の第６実施形態にて説明したシャワー設備８３の湯水供給設備８０と略同様の構成を備えており、給水流路８４より供給された湯水を分流部８５において通水流路８６と電解流路８７とに分岐させ、通水流路８６に流入した湯水は電解することなく非電解水として第１カラン２０５へ導くと共に、電解流路８７へ流入した湯水は電解槽８８にて陰極板８９ａと陽極板８９ｂとの間で電解を行って、電解水素水送出流路９２を介して第２カラン２０７へ導く。
【０１７９】
また、通水流路８６の中途部及び電解水素水送出流路９２の中途部には、それぞれ第１バルブ２０８及び第２バルブ２０９が介設されている。第１バルブ２０８及び第２バルブ２０９は、それぞれ第１ハンドル２０４及び第２ハンドル２０６に連動連結されており、使用者が各ハンドルを操作することで、通水流路８６や電解水素水送出流路９２の通水・止水が行われる。
【０１８０】
また、電解槽８８よりも上流側となる電解流路８７の中途部には、通水検知センサ２１０を配設している。この通水検知センサ２１０は、電解流路８７を介して電解槽８８に湯水が供給されているか否かを検知するセンサであって制御部９０に対し電気的に接続されている。制御部９０は、第２ハンドル２０６の開操作により第２バルブ２０９が開状態となり、第２カラン２０７から吐水され、電解槽８８に対して電解流路８７を通じて湯水が供給されている時に陰極板８９ａ及び陽極板８９ｂに電圧を印加して湯水の電解を行う。
【０１８１】
そして、このような蛇口水道設備Ｊ２によっても、本実施形態に係る吐水設備構造を備えているため、例えば湯桶やコップなど使用者が所望する部位へ水素水を重点的に、且つ、高濃度で吐出させることができる。
【０１８２】
上述してきたように、本発明に係る吐水設備構造によれば、給水流路より供給される湯水を吐水部から吐出する吐水設備の構造において、前記給水流路にて前記湯水を分流する分流部と、分流部にて分流された一方の湯水を電解して電解水素水と成し、同電解水素水を前記吐水部へ導く電解流路と、分流部にて分流された他方の湯水を電解せずに非電解水の状態で前記吐水部へ導く通水流路と、を備え、前記吐水部には、前記電解流路の下流にて電解水素水を吐出する電解水素水吐出領域と、前記通水流路の下流にて非電解水を吐出する非電解水吐出領域と、がそれぞれ別個に形成されていることとしたため、電解水素水を所望する部位へ重点的に、且つ、高濃度で吐出することのできる吐水設備構造を提供することができる。
【０１８３】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【０１８４】
例えば、散水部２２の底面部３４や周面部６８等の吐水面に形成される各吐水領域の配置は、適宜変更可能であることは言うまでもない。
【０１８５】
すなわち、シャワーヘッドＨ１であれば、内部流路構造を適宜変更することで電解水素水吐出領域３９と非電解水吐出領域４１の位置を入れ替えても良いし、電解水素水１０を周面部６８から吐出させるようにしても良い。また、シャワーヘッドＨ２であれば、筒状分流壁５０の内方を電解流路３２として、電解水素水吐出領域３９とマイクロバブル水吐出領域５６との位置を入れ替えても良いし、シャワーヘッドＨ３であれば、アルカリ電解水素水が生成される流路と酸性水が生成される流路とを入れ替えてることもできる。
【０１８６】
また、吐水面に形成される各領域は、必ずしもそれぞれ１つずつには限定されず、電解水素水１０や非電解水１１が飛程において混在しないのであれば、複数設けられていても良い。
【０１８７】
また、シャワーヘッドＨ１〜Ｈ３は、起電部２９ｃにより生成した電力により電解を行うこととしたが、これに限定されるものではなく、例えば蓄電池を備えたり、商用電源から受電して電解するよう構成しても良い。併せて、Ｈ４においても、給電機構２９を備え、給水流路８４にプロペラ２９ａを配置するなどし、外的な電力供給によらず電解可能に構成しても良いのは勿論である。
【０１８８】
また、上述した第１〜第９の実施形態における各構成は、その機能を阻害しない範囲内において、それぞれ別の実施形態に適用することができ、これらの構成もまた本発明の概念に含まれる。
【符号の説明】
【０１８９】
１０  電解水素水
１１  非電解水
２０  吐出面
２１  把持部
２２  散水部
２５  分流壁
２６  分流部
２８  給水流路
２９  給電機構
２９ｃ  起電部
３１  通水流路
３２  電解流路
３３  電極板
３４  底面部
３９  電解水素水吐出領域
４１  非電解水吐出領域
４２  区画領域
５３  マイクロバブル発生部
５６  マイクロバブル水吐出領域
６０  区画壁
６１  陰極流路
６２  陽極流路
６３  隔膜
６７  アルカリ電解水素水吐出領域
６８  周面部
７０  酸性水吐出領域
８１  接続ホース
８３  シャワー設備
８４  給水流路
８５  分流部
８６  通水流路
８７  電解流路
９４  散水部
９５  底面部
Ｈ１〜Ｈ４  シャワーヘッド
Ｕ  打たせ湯設備
Ｊ１〜Ｊ２  蛇口水道設備
【図１】
0006768356.tif 000002
【図２】
0006768356.tif 000003
【図３】
0006768356.tif 000004
【図４】
0006768356.tif 000005
【図５】
0006768356.tif 000006
【図６】
0006768356.tif 000007
【図７】
0006768356.tif 000008
【図８】
0006768356.tif 000009
【図９】
0006768356.tif 000010
【図１０】
0006768356.tif 000011